(57)【特許請求の範囲】
【請求項１】
ランプが装着されるランプソケットを収容した金属製のソケット筒と、ランプの周囲を囲むように配置され、ソケット筒の前面側の開口部に脱着自在に装着された前後両面が開口する金属製の主反射鏡と、主反射鏡の前面側の開口部の内周に取着されたガラス板と、このガラス板と主反射鏡の間に介在して取り付けられ、主反射鏡に導通された金網と、ランプの基部を囲むように配置され、ソケット筒の内側にソケット筒と導通された状態で取り付けられた金属製の補助反射鏡と、ソケット筒に主反射鏡を装着した際に主反射鏡の後面側の開口部と補助反射鏡の周部との間に介在され、主反射鏡と補助反射鏡とを導通させる金属製ばねとを具備して成ることを特徴とする投光器。
【請求項２】
安定器が収容された金属製の安定器ボックスと、安定器とランプソケットの間に配線されるケーブルを具備し、少なくともソケット筒と安定器ボックスとの間においてケーブルを金属製外皮で覆って成ることを特徴とする請求項１に記載の投光器。
【発明の詳細な説明】
【０００１】
【発明の属する技術分野】
本発明は、高輝度放電灯がランプとして装着される投光器に関するものである。
【０００２】
【従来の技術】
投光器は図８に示すように、ランプが装着されるランプソケットを収容する金属製のソケット筒３と、ランプの周囲を囲むように配置してソケット筒３の前面側の開口部に装着される金属製の主反射鏡４を主たる部材として具備して形成されているものであり、主反射鏡４の前面の開口部にはガラス板と共に金属製の金網６が張ってある。ここで、ソケット筒３と主反射鏡４とは、ランプの取り替えのために脱着自在になっているが、ソケット筒３と主反射鏡４の間から雨水等が浸入することを防止するために、ソケット筒３と主反射鏡４の間には防水のためのゴムなどのパッキンが挟み込んである。
【０００３】
そして投光器のランプとしては、一般に高輝度放電灯（ＨＩＤランプ）が用いられるが、ＨＩＤランプは始動時にＧＨｚレベルの電磁波を発生する。このために、ソケット筒３や主反射鏡４を金属製に形成すると共に主反射鏡４の前面の開口部に金網６を張ることによって、これらでＨＩＤランプを囲んで電磁波をシールドし、電磁波がマイクロ波アンテナ等に影響するのを低減するようにしているのである。
【０００４】
【発明が解決しようとする課題】
しかし上記のように、ソケット筒３と主反射鏡４の間には防水のためのゴムなどのパッキンが挟み込んであり、ソケット筒３と主反射鏡４とは電気的に導通された状態にはなく、ソケット筒３と主反射鏡４の間から電磁波が漏れるという問題があった。このために投光器の全体を金網で覆うことも考えられるが、この場合にはランプの交換ができなくなるので、採用することはできない。
【０００５】
本発明は上記の点に鑑みてなされたものであり、ソケット筒と主反射鏡の間からの電磁波の漏れを抑えることができる投光器を提供することを目的とするものである。
【０００６】
【課題を解決するための手段】
本発明に係る投光器は、ランプ１が装着されるランプソケット２を収容した金属製のソケット筒３と、ランプ１の周囲を囲むように配置され、ソケット筒３の前面側の開口部に脱着自在に装着された前後両面が開口する金属製の主反射鏡４と、主反射鏡４の前面側の開口部の内周に取着されたガラス板５と、このガラス板５と主反射鏡４の間に介在して取り付けられ、主反射鏡４に導通された金網６と、ランプ１の基部を囲むように配置され、ソケット筒３の内側にソケット筒３と導通された状態で取り付けられた金属製の補助反射鏡７と、ソケット筒３に主反射鏡４を装着した際に主反射鏡４の後面側の開口部と補助反射鏡７の周部との間に介在され、主反射鏡４と補助反射鏡７とを導通させる金属製ばね８とを具備して成ることを特徴とするものである。
【０００７】
また請求項２に係る発明は、安定器９が収容された金属製の安定器ボックス１０と、安定器９とランプソケット２の間に配線されるケーブル１１を具備し、少なくともソケット筒３と安定器ボックス１０との間においてケーブル１１を金属製外皮１２で覆って成ることを特徴とするものである。
【０００８】
【発明の実施の形態】
以下、本発明の実施の形態を説明する。
【０００９】
ソケット筒３は図１に示すように前面が開口する有底の筒状に金属で形成してあり、その下部にコード導入部１６が設けてある。ソケット筒３の前部の内周には金属製のコ字形の固定金具１７が固定してあり、この固定金具１７の後部突片１７ａにネジ１８止めやリベット止めなどすることによってランプソケット２をソケット筒３内に保持するようにしてある。ＨＩＤランプなどのランプ１は管球部がソケット筒３の前面の開口部から前方へ突出するように、ランプソケット２に装着されるものである。またソケット筒３の前面開口部の内周部には、ランプ１の管球部の基部を囲むように配置される補助反射鏡７が取り付けてある。補助反射鏡７はアルミニウム等の金属によってリング円板状に形成してあり、図４に示すように、固定金具１７の前部突片１７ｂにネジ１８止めやリベット止めなどすることによって、補助反射鏡７をソケット筒３内に固定するようにしてある。固定金具１７と補助反射鏡７の間の接触部や、固定金具１７とソケット筒３の間の接触部には、塗料等の電気絶縁物が介在されないようにしてあり、補助反射鏡７は固定金具１７を介してソケット筒３に電気的に導通されるようにしてある。
【００１０】
主反射鏡４は図１に示すように、前後両面が開口し、前部側程径が大きくなるラッパ状の筒としてアルミニウムなどの金属で形成してある。主反射鏡４の前面の円形に形成される開口部の周縁には断面コ字形に屈曲した嵌合片２０が全周に亘って延設してあり、この嵌合片２０よって開口部の中心側へ開口する嵌合溝２１が全周に亘って形成されるようにしてある。そして図５に示すように、円板状の透明のガラス板５の外周にパッキン２２を設け、このパッキン２２を設けたガラス板５の外周部を嵌合溝２１にはめ込むことによって、主反射鏡４の前面の開口部にガラス板５が取り付けてある。またこのガラス板５の内側に、ガラス板５と同形同寸法の金属製の金網６を配置し、金網６の外周部を嵌合溝２１にはめ込むことによって、主反射鏡４の前面の開口部に金網６が取り付けてある。金網６は嵌合片２０をかしめることによって、外周縁部が主反射鏡４に密着されるように取り付けられるものであり、金網６と主反射鏡４の間の接触部には塗料等の電気絶縁物が介在されないようにして、金網６は主反射鏡４に電気的に導通されるようにしてある。この金網６は、シールドしたい周波数に合わせて、線径や目の大きさが適宜設定されるものである。
【００１１】
また主反射鏡４の後部の開口部の外周部には係合具２４がかしめ固定してあり、この係合具２４に取着して、主反射鏡４の後部の開口部の外周の全周に亘るようにゴム等で形成されるパッキン２５が取り付けてある。そして主反射鏡４の後部の開口部の内周には銅など金属製のばね（シールドフィンガー）８が導電性接着剤による接着や溶接で取り付けてある。金属製ばね８と主反射鏡４の間の接触部には塗料等の電気絶縁物が介在されないようにして、金属製ばね８は主反射鏡４に電気的に導通されるようにしてある。この金属製ばね８は前方へ開口する断面横Ｕ字形に形成されるものであり、主反射鏡４の後部の開口部の内周に部分的に設けてもよいが、この内周の全長に亘るように設けるのが好ましい。
【００１２】
ここで図４に示すように、ソケット筒３の前部の外周面には軸２７によってレバー２８が前後方向へ上下回動自在に枢着してあり、このレバー２８には引っ掛け具２９の基端２９ａが上下方向に回動自在に枢支して取り付けてある。そして、ソケット筒３の前面の開口部に主反射鏡４の後部を配置し、引っ掛け具２９の先端の引っ掛け部２９ｂを係合具２４の外周部に突設した係合片３０に引っ掛けて、レバー２８を後方へ倒すように回動することによって、図４に示すように引っ掛け具２９で係合具２４を引っ掛け係合することができるものであり、ランプ１の管球部の外周を囲むように配置した状態でソケット筒３の前面の開口部に主反射鏡４を装着することができるものである。図２に示すようにレバー２８及び引っ掛け具２９はソケット筒３の三箇所に設けてあり、三箇所の引っ掛け係合でソケット筒３に主反射鏡４を固定することができるものである。また逆の操作で主反射鏡４をソケット筒３から取り外すことができるものであり、このようにソケット筒３から主反射鏡４を取り外すことによって、ランプ１を交換することができるものである。尚、この主反射鏡４とソケット筒３に設けた補助反射鏡７とでランプ１の光を反射する反射鏡が形成されるのであるが、反射鏡をこのように主反射鏡４と補助反射鏡７とに分割せず、反射鏡が主反射鏡４と補助反射鏡７が一体化された形態のものであれば、ランプ１の管球部につかえて反射鏡をソケット筒３から外すことができない。このために反射鏡を主反射鏡４と補助反射鏡７とに分割して、主反射鏡４のみをソケット筒３から外してランプ１の交換ができるようにしてある。
【００１３】
上記のようにソケット筒３の前面の開口部に主反射鏡４を装着すると、主反射鏡４に設けたパッキン２５がソケット筒３の前面開口部の外周に張り出して設けられている受け片３２に密着し、ソケット筒３と主反射鏡４との間をパッキン２５で密閉して、ソケット筒３と主反射鏡４の間の防水性が確保されるようにしてある。そしてまたこのようにソケット筒３の前面の開口部に主反射鏡４が装着されると、図４に示すように、主反射鏡４に設けた金属製ばね８が補助反射鏡７の外周端部の外面に弾性的に密着し、主反射鏡４と補助反射鏡７とは金属製ばね８を介して電気的に導通された状態になる。既述のように補助反射鏡７とソケット筒３は固定金具１７を介して導通された状態にあり、また金網６と主反射鏡４は導通された状態にあり、このように主反射鏡４と補助反射鏡７が金属製ばね８を介して導通されることによって、ソケット筒３、補助反射鏡７、主反射鏡４、金網６は全てが相互に導通されることになり、これらの相互に導通された金属製の各部材によってランプ１の外周を完全に囲むことができ、ランプ１から発生する電磁波をシールドして吸収・低減することができるものである。特に、ソケット筒３と主反射鏡４は補助反射鏡７によって導通がとられており、ソケット筒３と主反射鏡４の間からの電磁波の漏れを抑えることができるものである。
【００１４】
上記のようにソケット筒３に主反射鏡４を装着して投光器本体Ａが形成されるものであり、この投光器本体Ａは、安定器９を収容する安定器ボックス１０等からなる基台３３に設けた支柱３４の上端部に取り付けて支持するようにしてある。投光器本体Ａは支柱３４に軸３５を中心として前後方向の上下回動自在に取り付けてあり、投光角度を調整できるようにしてある。支柱３４は投光器本体Ａのソケット筒３に取り付けるようにしてもよく、また主反射鏡４に取り付けるようにしてもよい。
【００１５】
安定器９を収容する安定器ボックス１０は金属製の密閉された箱として形成されるものであり、安定器９やランプソケット２には図６に示すような回路構成で電源が接続してある。安定器９の二次側にはノイズ吸収コンデンサ３７が接続してあり、安定器９の二次側とランプソケット２をケーブル１１で接続するようにしてある。この安定器９に一端が接続されたケーブル１１は安定器ボックス１０から導出され、そしてソケット筒３内に導入すると共に他端がランプソケット２に接続してあり、このケーブル１１の外側は金属製外皮１２で覆うようにしてある。例えば図７に示すように、ポリ塩化ビニルなどの樹脂外皮３８の内周に金属箔などで金属製外皮１２を積層して被覆チューブ３９を作製し、この被覆チューブ３９内にケーブル１１を通すことによって、ケーブル１１の外側を金属製外皮１２で覆うことができる。安定器９の二次側とランプソケット２を接続するケーブル１１からも電磁波が発生するが、このようにケーブル１１の外側を金属製外皮１２で覆うことによって、電磁波をシールドして外部に漏れることを防ぐことができるものである。ケーブル１１のうち、安定器ボックス１０内やソケット筒３内に通されている部分では、金属製の安定器ボックス１０やソケット筒３で電磁波がシールドされて吸収・低減されるので、ケーブル１１のうち少なくともソケット筒３と安定器ボックス１０との間において外部に露出している部分を金属製外皮１２で覆うようにすればよい。
【００１６】
【発明の効果】
上記のように本発明は、ランプが装着されるランプソケットを収容した金属製のソケット筒と、ランプの周囲を囲むように配置され、ソケット筒の前面側の開口部に脱着自在に装着された前後両面が開口する金属製の主反射鏡と、主反射鏡の前面側の開口部の内周に取着されたガラス板と、このガラス板と主反射鏡の間に介在して取り付けられ、主反射鏡に導通された金網と、ランプの基部を囲むように配置され、ソケット筒の内側にソケット筒と導通された状態で取り付けられた金属製の補助反射鏡と、ソケット筒に主反射鏡を装着した際に主反射鏡の後面側の開口部と補助反射鏡の周部との間に介在され、主反射鏡と補助反射鏡とを導通させる金属製ばねとを具備するので、主反射鏡と補助反射鏡が金属製ばねを介して導通されることによって、ソケット筒、補助反射鏡、主反射鏡、金網は全てが相互に導通されることになり、これらの相互に導通された金属製の各部材によってランプの外周を完全にシールドすることができ、ランプから発生する電磁波を吸収・低減することができるものであり、特に、ソケット筒と主反射鏡の間からの電磁波の漏れを抑えることができるものである。この結果、器具の全体を金網で覆うような必要がなくなるものである。
【００１７】
また請求項２の発明は、安定器が収容された金属製の安定器ボックスと、安定器とランプソケットの間に配線されるケーブルを具備し、少なくともソケット筒と安定器ボックスとの間においてケーブルを金属製外皮で覆うようにしたので、安定器とランプとの間においてケーブルから発生する電磁波を金属製外皮でシールドして、吸収・低減することができるものである。
【図面の簡単な説明】
【図１】本発明の実施の形態の一例を示す一部を破断した側面図である。
【図２】同上の実施の形態の一例の背面図である。
【図３】同上の実施の形態における主反射鏡の正面図である。
【図４】図１のＸ部分の拡大図である。
【図５】同上の実施の形態における主反射鏡の一部の断面図である。
【図６】同上の実施の形態における回路構成を示す図である。
【図７】同上の実施の形態におけるケーブルの断面図である。
【図８】従来の一例の斜視図である。
【符号の説明】
１  ランプ
２  ランプソケット
３  ソケット筒
４  主反射鏡
５  ガラス板
６  金網
７  補助反射鏡
８  金属製ばね
９  安定器
１０  安定器ボックス
１１  ケーブル
１２  金属製外皮
【図１】
0004006891.tif 000002
【図２】
0004006891.tif 000003
【図３】
0004006891.tif 000004
【図４】
0004006891.tif 000005
【図５】
0004006891.tif 000006
【図６】
0004006891.tif 000007
【図７】
0004006891.tif 000008
【図８】
0004006891.tif 000009